(57)【要約】【課題】布帛を搬送する搬送ベルトの特性劣化または寿命の短縮化を抑制可能にする。【解決手段】テキスタイルプリント装置（１）は、布帛（４）を搬送する搬送ベルト（６）と、搬送された布帛（４）に対してインクを付与するインクジェットヘッド（７）と、インクが付与された布帛（４）と搬送ベルト（６）とを分離させるローラ（１１）と、分離された布帛（４）を加熱するヒータランプ（１４）と、を備える。【選択図】図１
2016037682.tif 000002
【特許請求の範囲】
【請求項１】
布帛の一方の面を支持し、所定の搬送方向に当該布帛を搬送する無端状の搬送ベルトと、
搬送された上記布帛の他方の面に対してインクを付与するインク付与手段と、
上記布帛と上記搬送ベルトとを分離させる分離手段と、
分離された上記布帛の上記他方の面側から、当該布帛を加熱する加熱手段と、を備え、
上記加熱手段は、上記インク付与手段および上記搬送ベルトよりも上記搬送方向の下流側に位置することにより、上記搬送ベルトと対向しないように配置されていることを特徴とするテキスタイルプリント装置。
【請求項２】
上記加熱手段による加熱により発生する蒸気を吸引する吸引手段をさらに備えることを特徴とする請求項１に記載のテキスタイルプリント装置。
【請求項３】
上記加熱手段および上記吸引手段は、上記布帛を介して互いに対向する位置に設けられていることを特徴とする請求項２に記載にテキスタイルプリント装置。
【請求項４】
上記吸引手段の吸引速度を測定する吸引速度測定手段と、
上記吸引速度測定手段によって測定された吸引速度が所定の速度以下の場合、上記加熱手段を停止させる加熱制御手段と、をさらに備えることを特徴とする請求項２または３に記載のテキスタイルプリント装置。
【請求項５】
上記加熱手段による加熱状態を検知する加熱状態検知手段と、
上記加熱手段による加熱が行われていることを上記加熱状態検知手段が検知している間は、上記吸引手段に上記蒸気を吸引させるように当該吸引手段を制御する吸引制御手段をさらに備えることを特徴とする請求項２〜４のいずれか１項に記載のテキスタイルプリント装置。
【請求項６】
上記搬送ベルトによる上記布帛の搬送状態を検知する搬送状態検知手段と、
上記搬送ベルトによる上記布帛の搬送が所定時間以上停止していると上記搬送状態検知手段が検知した場合、上記加熱手段を停止させる加熱制御手段とを、さらに備えることを特徴とする請求項２または３に記載のテキスタイルプリント装置。
【請求項７】
上記加熱手段の加熱電力容量は、１０ｋＷ以上であり、
上記吸引手段の吸引速度は、０．３ｍ／秒以上１ｍ／秒以下であることを特徴とする請求項２〜６のいずれか１項に記載のテキスタイルプリント装置。
【請求項８】
上記吸引手段は、吸引動作を行う吸引動作部と、上記吸引動作部まで蒸気を導く風路とを有し、
上記風路は、上記加熱手段と対向する開口部分の断面積が、上記吸引動作部と接続された開口部分の断面積よりも大きく、
上記吸引動作部は、上記布帛を介して上記加熱手段と対向する位置であって、当該布帛が上記加熱手段と対向する位置を搬送される際の搬送距離の中間地点よりも上記搬送方向の下流側の位置に設けられていることを特徴とする請求項３〜７のいずれか１項に記載のテキスタイルプリント装置。
【請求項９】
上記搬送ベルトと上記布帛とは互いに接した状態にあり、上記布帛は、上記搬送ベルトと同じ搬送速度で、上記搬送ベルトと一体的に搬送されることを特徴とする請求項２〜８のいずれか１項に記載のテキスタイルプリント装置。
【発明の詳細な説明】
【技術分野】
【０００１】
本発明は、テキスタイルプリント装置に関する。
【背景技術】
【０００２】
布帛に印刷する場合、インクの布帛への浸透が速いため、滲みが生じる場合がある。そこで、滲み止めを行うための技術として、特許文献１には、テキスタイルプリント装置において、ベルトに固定搬送されている布帛上にインクを付与した後、乾燥手段により布帛を加熱して乾燥する技術が開示されている。
【０００３】
また、特許文献２には、インクが付与された記録媒体を１対のローラで挟持して搬送し、加熱装置に記録媒体を加熱して乾燥する技術が開示されている。
【先行技術文献】
【特許文献】
【０００４】
【特許文献１】特開２０１０−１０６３７４号公報（２０１０年５月１３日公開）
【特許文献２】特開２００２−１８７２６４号公報（２００２年７月２日公開）
【発明の概要】
【発明が解決しようとする課題】
【０００５】
通常、インクまたは布帛の種類によっては、布帛を乾燥させるために、加熱強度を強めたり、加熱時間を長くしたりすることが必要となる。しかしながら、特許文献１に記載の技術では、布帛を搬送するベルトごと加熱を行っているため、加熱強度を強めたり、加熱時間を長くしたりすると、ベルトの特性劣化または寿命の短縮化を引き起こしやすい。また、そもそも特許文献２に記載の技術では、記録媒体を１対のローラで挟持して搬送しているが、乾燥の前にローラで記録媒体を挟持しているため、乾燥前のインクがローラに付着し、ローラおよび記録媒体を汚す可能性がある。
【０００６】
そこで、本発明は、上記の課題に鑑みてなされたものであり、その目的は、布帛を搬送する搬送ベルトの特性劣化または寿命の短縮化を抑制することができるテキスタイルプリント装置を提供することにある。
【課題を解決するための手段】
【０００７】
上記の課題を解決するために、本発明の一態様に係るテキスタイルプリント装置は、布帛の一方の面を支持し、所定の搬送方向に当該布帛を搬送する無端状の搬送ベルトと、搬送された上記布帛の他方の面に対してインクを付与するインク付与手段と、上記布帛と上記搬送ベルトとを分離させる分離手段と、分離された上記布帛の上記他方の面側から、当該布帛を加熱する加熱手段と、を備え、上記加熱手段は、上記インク付与手段および上記搬送ベルトよりも上記搬送方向の下流側に位置することにより、上記搬送ベルトと対向しないように配置されている。
【０００８】
上記の構成によれば、布帛と搬送ベルトとを分離させてから、インクが付与された布帛に対して加熱が行われる。この際、加熱手段は、インク付与手段および搬送ベルトよりも搬送方向の下流側に位置することにより、搬送ベルトと対向しないように配置されている。そのため、加熱手段の熱は、直接搬送ベルトに及ばないため、加熱手段の熱による搬送ベルトの特性劣化または寿命の短縮化を抑制することができる。
【０００９】
また、本発明の一態様に係るテキスタイルプリント装置は、上記加熱手段による加熱により発生する蒸気を吸引する吸引手段をさらに備える。
【００１０】
上記の構成によれば、布帛の加熱時に発生する蒸気を吸引することにより、布帛と加熱手段との間の雰囲気温度が高まることを抑制することができる。その結果、布帛と加熱手段との間の雰囲気温度が高まることにより加熱手段により加熱された布帛に引火してしまうことを抑制することができる。
【００１１】
また、本発明の一態様に係るテキスタイルプリント装置においては、上記加熱手段および上記吸引手段は、上記布帛を介して互いに対向する位置に設けられている。
【００１２】
上記の構成によれば、加熱手段と吸引手段とを対向配置させることにより、布帛と加熱手段との間に存在する蒸気を、布帛を介して吸引手段が効率的に吸収することができる。これにより、加熱手段の熱によって加熱された蒸気を利用して布帛を効果的に乾燥することができる。
【００１３】
また、本発明の一態様に係るテキスタイルプリント装置は、上記吸引手段の吸引速度を測定する吸引速度測定手段と、上記吸引速度測定手段によって測定された吸引速度が所定の速度以下の場合、上記加熱手段を停止させる加熱制御手段と、をさらに備える。
【００１４】
吸引手段の吸引速度が遅くなると、布帛と加熱手段との間の雰囲気温度が上昇することにより、布帛が焦げやすくなり、布帛に引火しやすくなる虞がある。そこで、上記の構成によれば、吸引手段の吸引速度が所定の速度以下に低下した場合には、加熱手段による加熱を停止することにより、布帛の焦げまたは布帛への引火を生じにくくすることができる。
【００１５】
また、本発明の一態様に係るテキスタイルプリント装置は、上記加熱手段による加熱状態を検知する加熱状態検知手段と、上記加熱手段による加熱が行われていることを上記加熱状態検知手段が検知している間は、上記吸引手段に上記蒸気を吸引させるように当該吸引手段を制御する吸引制御手段をさらに備える。
【００１６】
上記の構成によれば、加熱手段による加熱が行われている間は、常に吸引手段が蒸気の吸引を行うことにより、布帛と加熱手段との間の温度上昇を確実に抑制することができる。
【００１７】
また、本発明の一態様に係るテキスタイルプリント装置は、上記搬送ベルトによる上記布帛の搬送状態を検知する搬送状態検知手段と、上記搬送ベルトによる上記布帛の搬送が所定時間以上停止していると上記搬送状態検知手段が検知した場合、上記加熱手段を停止させる加熱制御手段とを、さらに備える。
【００１８】
布帛の搬送の停止時間が長いと、布帛が長時間加熱されることにより、布帛が焦げたり、布帛に引火したりする虞がある。そこで、上記の構成によれば、テキスタイルプリント装置において印刷が行われている間でも布帛の搬送の停止時間が所定時間以上経過した場合には、加熱手段による加熱を停止することにより、布帛の焦げまたは布帛への引火を効果的に抑制することができる。
【００１９】
また、本発明の一態様に係るテキスタイルプリント装置においては、上記加熱手段の加熱電力容量は、１．５ｋＷ以上２０ｋＷ以下であり、上記吸引手段の吸引速度は、０．３ｍ／秒以上１ｍ／秒以下であることが好ましい。
【００２０】
上記の構成によれば、吸引手段が加熱された蒸気を効率的に吸引するため、加熱手段の加熱電力容量を高く設定することができる。そのため、加熱手段の加熱電力容量を高く設定しても、布帛の焦げおよび布帛へのインクを抑制することができ、かつ、短い乾燥時間で布帛を乾燥することができる。
【００２１】
また、本発明の一態様に係るテキスタイルプリント装置においては、上記吸引手段は、吸引動作を行う吸引動作部と、上記吸引動作部まで蒸気を導く風路とを有し、上記風路は、上記加熱手段と対向する開口部分の断面積が、上記吸引動作部と接続された開口部分の断面積よりも大きく、上記吸引動作部は、上記布帛を介して上記加熱手段と対向する位置であって、当該布帛が上記加熱手段と対向する位置を搬送される際の搬送距離の中間地点よりも下流側の位置に設けられている。
【００２２】
搬送方向の下流側に位置する布帛ほど、加熱手段によって長時間加熱されて乾燥が進んでいるため多くの蒸気が発生している。そのため、上記の構成によれば、吸引手段の吸引動作部を布帛の搬送方向の下流側の位置に設けることにより、多くの蒸気が発生している部分の吸引力を高めることができる。これにより、布帛の加熱時に発生する蒸気を効果的に吸引することができ、布帛と加熱手段との間の雰囲気温度が高まることを抑制することができる。
【００２３】
また、本発明の一態様に係るテキスタイルプリント装置においては、上記搬送ベルトと上記布帛とは互いに接した状態にあり、上記布帛は、上記搬送ベルトと同じ搬送速度で、上記搬送ベルトと一体的に搬送されてもよい。
【００２４】
上記の構成によれば、搬送ベルトと布帛とが一体的に搬送されることで、布帛が伸縮性の高い材料で構成されている場合でも、所望の伸縮状態（伸縮ゼロ状態も含む）で布帛に印刷を行うことができる。特に、インク付与手段によりインクが布帛に付与された場合の縮みを抑制することが可能である。
【発明の効果】
【００２５】
本発明の一態様に係るテキスタイルプリント装置によれば、布帛を搬送する搬送ベルトの特性劣化または寿命の短縮化を抑制することができる。
【図面の簡単な説明】
【００２６】
【図１】本発明の一実施形態に係るテキスタイルプリント装置の概略断面図である。
【図２】本発明の一実施形態に係る加熱乾燥ユニットを、図１のＹ−Ｚ平面から見た断面図である。
【図３】本発明の一実施形態に係る加熱部を、図１のＸ−Ｙ平面から見た下面図である。
【図４】本発明の一実施形態に係る吸引部を、図１のＸ−Ｙ平面から見た上面図である。
【図５】本発明の一実施形態に係る加熱乾燥ユニットおよび制御ユニットのブロック図である。
【発明を実施するための形態】
【００２７】
以下、本発明の実施の形態について、詳細に説明する。
【００２８】
（テキスタイルプリント装置１の概要）
本実施形態に係るテキスタイルプリント装置１の概略断面図を図１に示す。図１に示すように、テキスタイルプリント装置１は、印刷ユニット２と、加熱乾燥ユニット３とに分かれている。印刷ユニット２は、記録媒体である布帛４に対して印刷を行うものであり、布帛４を繰り出す繰り出し部５と、繰り出された布帛４の一方の面を支持し、当該布帛４の一方の面と接した状態で回転しながら布帛４を搬送する無端状の搬送ベルト６と、搬送ベルト６によって搬送された布帛４の他方の面に対してインクを付与するインクジェットヘッド７（インク付与手段）とを有している。一方、加熱乾燥ユニット３は、インクが付与された布帛４の他方の面側から、当該布帛４を加熱する加熱部８（加熱手段）と、加熱によって生じた蒸気を吸引する吸引部９（吸引手段）と、乾燥された布帛４を巻き取る巻き取り部１０とを有している。
【００２９】
テキスタイルプリント装置１では、布帛４を搬送ベルト６によってインクジェットヘッド７の直下まで搬送し、インクジェットヘッド７によって布帛４にインクを付与して印刷を行う。印刷が行われた布帛４は、加熱乾燥ユニット３に向かって（Ｘ軸方向へと）送られる。加熱乾燥ユニット３では、加熱部８が布帛４を加熱するのと同時に、吸引部９が加熱によって布帛４から生じた蒸気を吸引する。加熱部８および吸引部９については、後ほど詳述する。
【００３０】
加熱によって乾燥された布帛４は、巻き取り部１０によって巻き取られる。ローラ１１〜１３は、従動ローラであり、巻き取り部１０が駆動ローラとして機能している。巻き取り部１０が布帛４を連続的に巻き取ることにより、布帛４がローラ１１を通って、搬送ベルト６上から分離（剥離）され、加熱乾燥ユニット３へと送られる。このように、ローラ１１は、搬送ベルト６による布帛４の搬送方向の下流側（Ｘ軸方向）に布帛４を搬送しながら、搬送ベルト６と布帛４とを分離する分離手段として機能している。なお、図１では、ローラ１１の直前で搬送ベルト６の進行方向が布帛４の進行方向と異なる方向に変化することによっても、搬送ベルト６と布帛４との分離が誘発されている。ただし、本発明はこれに限らず、ローラ１１の直前で布帛４の進行方向が、搬送ベルト６の進行方向と異なる方向に変化することによって、搬送ベルト６と布帛４との分離を誘発してもよい。あるいは、ローラ１１を駆動ローラにすることによって、搬送ベルト６と布帛４との分離を誘発してもよい。また、分離手段として、ローラ以外を用いてもよい。例えば、布帛４と搬送ベルト６との間に板を設け、布帛４と搬送ベルト６とを上下方向の進行方向が異なるように分離させてもよい。つまり、分離手段は、布帛４の進行方向が、搬送ベルト６の進行方向と異なる方向になるようにすることができるものであればよい。
【００３１】
ここで、印刷時に布帛４が搬送ベルト６から剥がれないように、搬送ベルト６は布帛４を支持する面の表面に粘着性を有する粘着層を有している。これにより、布帛４は搬送ベルト６に対して密着する。搬送ベルト６は、布帛４を支持する側の支持表面層、ベルトの中心部の心体層、および当該心体層を介して支持表面層とは反対側に位置する走行表面層の複数層を有するベルト材からなる。支持表面層にはポリウレタン等を用いることができ、心体層および走行表面層にはポリエステル織布またはアラミド織布等の織布等を用いることができる。粘着層には地貼り剤を用いることができ、加熱によって粘着性が発揮される感熱型の地貼り剤と加圧することで粘着性が発揮される感圧型の地貼り剤等を用いることができる。市販されているものとしては、例えば株式会社横浜ポリマー研究所製の捺染用地貼り剤ＨＡシリーズ（感熱型地貼り剤）、同ＳＩシリーズ（感圧型地貼り剤）等がある。これらの搬送ベルト６を構成する各層の材料特性により、搬送ベルト６の許容温度は最高で１００℃程度である。
【００３２】
なお、粘着層は必ずしも必要ではなく、例えば吸引孔を有した搬送ベルト６を用いた場合には、吸引により布帛４を搬送ベルト６に対して密着させることができる。このように、搬送ベルト６と布帛４とが互いに接した状態であって、布帛４が搬送ベルト６と一体的に搬送されることが好ましい。
【００３３】
布帛４と搬送ベルト６とが、一体的に搬送（移動）されることにより、インクジェットヘッド７において高速印刷を行った場合には、インクジェットヘッド７の近傍での布帛４の弛みを抑制することができる。また、布帛４が伸縮性の高い材料で構成される場合には、インクジェットヘッド７においてインクを付与する際に意図しない伸縮状態となることを抑制することができ、高品位の印刷を行うことができる。このため、インクジェットヘッド７の近傍における布帛４は、搬送ベルト６と接した状態（粘着および／または吸着による密着状態）で搬送ベルト６に支持されていることが好ましい。
【００３４】
（加熱乾燥ユニット３の構成）
加熱乾燥ユニット３を、図１のＹ−Ｚ平面から見た断面図を図２に示す。また、加熱部８をＸ−Ｙ平面から見た下面図を図３に示し、吸引部９をＸ−Ｙ平面から見た上面図を図４に示す。
【００３５】
図２に示すように、加熱部８と吸引部９とは、互いに対向した位置に配置されている。加熱部８と吸引部９とを対向配置させることにより、布帛４と加熱部８の間に存在する蒸気を、布帛４を介して吸引部９が効率的に吸収することができる。これにより、加熱手段の熱によって加熱された蒸気を利用して布帛を効果的に乾燥することができる。加熱部８と吸引部９とは、搬送ベルト６およびインクジェットヘッド７よりも布帛４の搬送方向の下流側に位置することにより、搬送ベルト６と対向しないように配置されている。
【００３６】
加熱部８には、図３に示すように、布帛４の他方の面（インクが付与された面）側から、当該布帛４を加熱するための複数のヒータランプ１４が搭載されている。また、吸引部９は、図４に示すように、布帛４の落下を防止するための落下防止橋１５、加熱によって生じた蒸気をファン１７まで蒸気を導く風路１６、加熱によって生じた蒸気を吸引する吸引動作を行うためのファン１７（吸引動作部）、ファン１７を駆動する駆動モータ１８、および蒸気の排出路１９を有している。風路１６は、加熱部８と対向する開口部分の断面積が、ファン１７と接続された開口部分の断面積よりも大きい。
【００３７】
印刷ユニット２から送られてきた布帛４は、ローラ１２を通って落下防止橋１５の上を通りながら加熱部８のヒータランプ１４によって加熱される。これにより、布帛４および布帛４上に付与されたインクが加熱により乾燥される。ファン１７は、風路１６に設けられており、加熱によって生じた蒸気は、風路１６からファン１７を介して排出路１９に吸引され排出される。そして、加熱により乾燥された布帛４は、そのままローラ１３を通って巻き取り部１０によって巻き取られる。
【００３８】
このように、本実施形態に係るテキスタイルプリント装置１では、布帛４に対してインクジェットヘッド７によってインクを付与した後、布帛４と搬送ベルト６とを分離させてから布帛４に対する加熱が行われる。この際、加熱部８（ヒータランプ１４）は、搬送ベルト６よりも搬送方向の下流側に位置することにより、搬送ベルト６と対向しないように配置されている。そのため、加熱部８のヒータランプ１４の熱は、搬送ベルト６に直接及ばないため、ヒータランプ１４の熱による搬送ベルト６の特性劣化または寿命の短縮化を抑制することができる。
【００３９】
また、布帛４の加熱時に発生する蒸気を吸引することにより、加熱部８の内部の雰囲気温度が高まることを抑制することができる。その結果、加熱部８内部の雰囲気温度が高まることにより布帛４に引火してしまうことを抑制することができる。
【００４０】
ここで、テキスタイルプリント装置１において用いるインクが乾きにくいもの（例えば、高粘度性インク）であったり、布帛４に付与されるインク量が多い印刷（例えば、厚手布帛用途の印刷）を行ったりする場合には、ヒータランプ１４の出力（加熱電力容量）を高くすることが望まれる。この場合は、ファン１７による蒸気の吸引速度を、０．２ｍ／秒以上１ｍ／秒以下に設定することが好ましく、０．３ｍ／秒以上１ｍ／秒以下であることがより好ましい。これにより、ファン１７がヒータランプ１４によって加熱された蒸気を効率的に吸引することができるため、ヒータランプ１４の加熱電力容量を高く（例えば、１．５ｋＷ以上２０ｋＷ以下）設定することができる。そのため、ヒータランプ１４の加熱電力容量を高く設定しても、布帛４の焦げおよび布帛４への引火を抑制することができ、かつ、短い乾燥時間で布帛４を乾燥することができる。
【００４１】
また、図４に示したように、ファン１７は、布帛４を介してヒータランプ１４と対向する位置であって、当該布帛４がヒータランプ１４と対向する位置を搬送される際の搬送距離の中間地点よりも下流側の位置に設けられていることが好ましい。下流側とは布帛４の搬送方向であり、当該布帛４の搬送方向は、巻き取り部１０によって布帛４が巻き取られることにより、ローラ１１〜１３によって搬送される方向である。搬送方向の下流側に位置する布帛４ほど、ヒータランプ１４によって長時間加熱されて乾燥が進んでいるため多くの蒸気が発生している。そのため、ファン１７を布帛４の搬送方向の下流側の位置に設けることにより、多くの蒸気が発生している部分の吸引力を高めることができる。これにより、布帛４の加熱時に発生する蒸気を効果的に吸引することができ、布帛４と加熱部８との間であって搬送方向下流側の雰囲気温度が高まることを効率的に抑制することができる。
【００４２】
（ヒータランプ１４の駆動機構）
加熱乾燥ユニット３のより詳細なブロック図を図５に示す。図５には、制御ユニット３０のブロック図も図示されている。
【００４３】
図５に示すように、加熱乾燥ユニット３は、ファン１７、駆動モータ１８、およびヒータランプ１４の他に、インバータ電源２０、サーモスタット２１、緊急停止スイッチ２２、リレー制御部２３、リレー２４、およびソリッド・ステート・リレー（ＳＳＲ）２５を有している。インバータ電源２０は、駆動モータ１８を駆動するためのものである。ファン１７の吸引速度は、駆動モータ１８の出力（回転数）の割合に応じた速度となる。例えば、駆動モータ１８の出力が３０％の場合は、ファン１７の吸引速度は０．３ｍ／秒となる。
【００４４】
サーモスタット２１は、加熱乾燥ユニット３内の温度を感知する。また、緊急停止スイッチ２２は、ユーザがテキスタイルプリント装置１の印刷または加熱乾燥ユニット３の加熱を緊急で停止するためのスイッチである。
【００４５】
リレー制御部２３は、リレー２４のＯＮ／ＯＦＦを切り替える。リレー２４は、ＯＦＦ状態のときは、電力供給部（例えば、外部電源またはインバータ電源等）とＳＳＲ２５との接続を断つ。一方、リレー２４は、ＯＮ状態のときは、リレー２４を介して電力供給部から電力がＳＳＲ２５に供給される。ＳＳＲ２５は、ヒータランプ１４の制御を行うものである。具体的には、ＳＳＲ２５は、ヒータランプ１４のＯＮ／ＯＦＦおよび温度制御を行う。
【００４６】
リレー制御部２３は、以下の３つの条件が揃っていることを検知すると、リレー２４をＯＮにする。
【００４７】
（１）駆動モータ１８の出力が所定値以上（例えば、３０％以上）であること
（２）サーモスタット２１が感知した温度が所定の温度以下であること
（３）緊急停止スイッチ２２のスイッチがＯＦＦであること
リレー２４がＯＮ状態になると、リレー２４を介して電力供給部から電力がＳＳＲ２５に供給され、ＳＳＲ２５は、ヒータランプ１４をＯＮにして所定の温度に設定する。このようにして、所定の条件が揃ったときにヒータランプ１４がＯＮになり、布帛４に対して加熱が行われるように構成されている。なお、上記の３つの条件は例示であり、他の条件であってもよいし、さらなる条件があってもよい。
【００４８】
（吸引の制御）
加熱乾燥ユニット３の各種部材は、制御ユニット３０によって制御されている。図５に示すように、制御ユニット３０は、加熱状態検知部３１（加熱状態検知手段）、搬送状態検知部３２（搬送状態検知手段）、吸引速度測定部３３（吸引速度測定手段）、吸引制御部３４（吸引制御手段）、および加熱制御部３５（加熱制御手段）を有している。制御ユニット３０は、例えばＰＬＣ（Programmable Logic Controller）であってもよい。
【００４９】
加熱状態検知部３１は、ヒータランプ１４による加熱状態を検知する。加熱状態とは、ヒータランプ１４の稼働状態であり、加熱が行われている状態および加熱が行われていない状態が含まれる。搬送状態検知部３２は、搬送ベルト６による布帛４の搬送状態を検知する。搬送状態とは、搬送ベルト６の稼働状態であり、搬送が行われている状態および搬送が行われていない状態が含まれる。また、吸引速度測定部３３は、ファン１７の吸引速度を測定する。吸引制御部３４は、ファン１７による吸引を制御し、加熱制御部３５は、ヒータランプ１４による加熱を制御する。
【００５０】
本実施形態では、加熱状態検知部３１が、ヒータランプ１４による加熱が行われていることを検知している間は、吸引制御部３４は、ファン１７に蒸気を吸引させるように当該ファン１７を制御してもよい。具体的には、加熱状態検知部３１が検知した加熱状態の情報は、吸引制御部３４に送られる。吸引制御部３４は、ヒータランプ１４による加熱が行われている状態の情報を加熱状態検知部３１から受け取っている間は、ファン１７を駆動させるように駆動モータ１８を制御する。このように、ヒータランプ１４による加熱が行われている間は、常にファン１７が蒸気の吸引を行うことにより、加熱乾燥ユニット３内の温度上昇を確実に抑制することができる。
【００５１】
（加熱乾燥ユニットの制御１）
本実施形態では、吸引速度測定部３３によって測定された吸引速度が所定の速度以下の場合、加熱制御部３５は、ヒータランプ１４を停止させてもよい。具体的には、吸引速度測定部３３が測定したファン１７の吸引速度の情報は、加熱制御部３５に送られる。加熱制御部３５は、ファン１７の吸引速度が所定の速度以下の場合は、ヒータランプ１４をＯＦＦさせるようにＳＳＲ２５を制御する。ファン１７の吸引速度が遅くなると、加熱乾燥ユニット３内の雰囲気温度が上昇することにより、布帛４が焦げやすくなったり、布帛４に引火しやすくなったりする虞がある。そこで、ファン１７の吸引速度が所定の速度以下に低下した場合には、ヒータランプ１４による加熱を停止することにより、布帛４の焦げまたは布帛４への引火を生じにくくすることができる。上記の所定の速度としては、布帛４の焦げまたは布帛４への引火が生じる虞がある速度に応じて適宜設定すればよい。
【００５２】
なお、リレー制御部２３は、駆動モータ１８の出力が所定値以上であることを、リレー２４をＯＮにする条件の１つとしている。そこで、上記の所定の速度に対応する駆動モータ１８の出力値を上記の所定値に設定し、吸引速度測定部３３および加熱制御部３５を省略してこれらの機能をリレー制御部２３に持たせてもよい。ただし、吸引速度測定部３３が実際のファン１７の吸引速度を測定し、当該吸引速度所定の速度以下に低下した場合に、加熱制御部３５がヒータランプ１４をＯＦＦさせるように直接ＳＳＲ２５を制御するため、より迅速にヒータランプ１４による加熱を制御することができる。
【００５３】
（加熱乾燥ユニットの制御２）
本実施形態では、搬送状態検知部３２が、搬送ベルト６による布帛４の搬送が所定時間以上停止していると検知した場合、加熱制御部３５は、ヒータランプ１４を停止させてもよい。具体的には、搬送状態検知部３２が、搬送ベルト６による搬送が所定時間以上行われていない状態を検知すると、搬送状態検知部３２は、搬送ベルト６による搬送が所定時間以上行われていない旨の情報を加熱制御部３５に送る。加熱制御部３５は、搬送ベルト６による搬送が所定時間以上行われていない旨の情報を搬送状態検知部３２から受け取ると、ヒータランプ１４をＯＦＦさせるようにＳＳＲ２５を制御する。布帛４の搬送の停止時間が長いと、布帛４がヒータランプ１４によって長時間加熱されることにより、布帛４が焦げたり、布帛４に引火したりする虞がある。そこで、テキスタイルプリント装置１において印刷が行われている間でも布帛４の搬送の停止時間が所定時間以上経過した場合には、ヒータランプ１４による加熱を停止することにより、布帛４の焦げまたは布帛４への引火を抑制することができる。上記の所定時間としては、布帛４の焦げまたは布帛４への引火が生じる虞がある加熱時間に応じて適宜決定すればよい。
【００５４】
なお、加熱乾燥後、巻き取り部１０に巻き取られた布帛４は、後処理として発色工程が施される。熱によって発色を行う場合、加熱乾燥時の布帛４の表面温度（加熱温度）は、発色工程での加熱温度よりも低い必要がある。発色工程での加熱温度は布帛４の種類や用いるインクによって異なるが、例えば、発色工程での加熱温度が１２０℃〜１３０℃の場合には、加熱乾燥時での布帛４の表面温度（加熱温度）は６０℃〜１３０℃となるように加熱部８を加熱制御部３５によって制御することが好ましい。
【００５５】
（まとめ）
本発明の一態様に係るテキスタイルプリント装置１は、布帛４の一方の面を支持し、所定の搬送方向に当該布帛４を搬送する無端状の搬送ベルト６と、搬送された上記布帛４の他方の面に対してインクを付与するインク付与手段（インクジェットヘッド７）と、インクが付与された上記布帛４と上記搬送ベルト６とを分離させる分離手段（ローラ１１）と、分離された上記布帛４の上記他方の面側から、当該布帛４を加熱する加熱手段（加熱部８）と、を備え、上記加熱手段は、上記搬送ベルト６よりも上記搬送方向の下流側に位置することにより、上記搬送ベルト６と対向しないように配置されている。
【００５６】
上記の構成によれば、布帛４と搬送ベルト６とを分離させてから、インクが付与された布帛４に対して加熱が行われる。この際、加熱手段は、インク付与手段および搬送ベルト６よりも搬送方向の下流側に位置することにより、搬送ベルト６と対向しないように配置されている。そのため、加熱手段の熱は、搬送ベルト６に及ばないため、加熱手段の熱による搬送ベルト６の特性劣化または寿命の短縮化を抑制することができる。
【００５７】
また、本発明の一態様に係るテキスタイルプリント装置１は、上記加熱手段による加熱により発生する蒸気を吸引する吸引手段（ファン１７）をさらに備える。
【００５８】
上記の構成によれば、布帛４の加熱時に発生する蒸気を吸引することにより、布帛４と加熱手段との間の雰囲気温度が高まることを抑制することができる。その結果、布帛４と加熱手段との間の雰囲気温度が高まることにより加熱手段により加熱された布帛４に引火してしまうことを抑制することができる。
【００５９】
また、本発明の一態様に係るテキスタイルプリント装置１においては、上記加熱手段および上記吸引手段は、上記布帛４を介して互いに対向する位置に設けられている。
【００６０】
上記の構成によれば、加熱手段と吸引手段とを対向配置させることにより、布帛４と加熱手段との間に存在する蒸気を、布帛４を介して吸引手段が効率的に吸収することができる。これにより、加熱手段の熱によって加熱された蒸気を利用して布帛を効果的に乾燥することができる。
【００６１】
また、本発明の一態様に係るテキスタイルプリント装置１は、上記吸引手段の吸引速度を測定する吸引速度測定手段（吸引速度測定部３３）と、上記吸引速度測定手段によって測定された吸引速度が所定の速度以下の場合、上記加熱手段を停止させる加熱制御手段（加熱制御部３５）と、をさらに備える。
【００６２】
吸引手段の吸引速度が遅くなると、布帛４と加熱手段との間の雰囲気温度が上昇することにより、布帛４が焦げやすくなり、布帛４に引火しやすくなる虞がある。そこで、上記の構成によれば、吸引手段の吸引速度が所定の速度以下に低下した場合には、加熱手段による加熱を停止することにより、布帛４の焦げまたは布帛４への引火を生じにくくすることができる。
【００６３】
また、本発明の一態様に係るテキスタイルプリント装置１は、上記加熱手段による加熱状態を検知する加熱状態検知手段（加熱状態検知部３１）と、上記加熱手段による加熱が行われていることを上記加熱状態検知手段が検知している間は、上記吸引手段に上記蒸気を吸引させるように当該吸引手段を制御する吸引制御手段（吸引制御部３４）をさらに備える。
【００６４】
上記の構成によれば、加熱手段による加熱が行われている間は、常に吸引手段が蒸気の吸引を行うことにより、布帛４と加熱手段との間の雰囲気温度上昇を確実に抑制することができる。
【００６５】
また、本発明の一態様に係るテキスタイルプリント装置１は、上記搬送ベルト６による上記布帛４の搬送状態を検知する搬送状態検知手段（搬送状態検知部３２）と、上記搬送ベルト６による上記布帛４の搬送が所定時間以上停止していると上記搬送状態検知手段が検知した場合、上記加熱手段を停止させる加熱制御手段（加熱制御部３５）とを、さらに備える。
【００６６】
布帛４の搬送の停止時間が長いと、布帛４が長時間加熱されることにより、布帛４が焦げたり、布帛４に引火したりする虞がある。そこで、上記の構成によれば、テキスタイルプリント装置１において印刷が行われている間でも布帛４の搬送の停止時間が所定時間以上経過した場合には、加熱手段による加熱を停止することにより、布帛４の焦げまたは布帛４への引火を抑制することができる。
【００６７】
また、本発明の一態様に係るテキスタイルプリント装置１においては、上記加熱手段の加熱電力容量は、１．５ｋＷ以上２０ｋＷ以下であり、上記吸引手段の吸引速度は、０．３ｍ／秒以上１ｍ／秒以下であることが好ましい。
【００６８】
上記の構成によれば、吸引手段が加熱された蒸気を効率的に吸引するため、加熱手段の加熱電力容量を高く設定することができる。そのため、加熱手段の加熱電力容量を高く設定しても、布帛４の焦げおよび布帛４へのインクを抑制することができ、かつ、短い乾燥時間で布帛４を乾燥することができる。
【００６９】
また、本発明の一態様に係るテキスタイルプリント装置１においては、上記吸引手段は、吸引動作を行う吸引動作部（ファン１７）と、上記吸引動作部まで蒸気を導く風路１６とを有し、上記風路１６は、上記加熱手段と対向する開口部分の断面積が、上記吸引動作部と接続された開口部分の断面積よりも大きく、上記吸引動作部は、上記布帛４を介して上記加熱手段と対向する位置であって、当該布帛４が上記加熱手段と対向する位置を搬送される際の搬送距離の中間地点よりも下流側の位置に設けられている。
【００７０】
搬送方向の下流側に位置する布帛４ほど、加熱手段によって長時間加熱されて乾燥が進んでいるため多くの蒸気が発生している。そのため、上記の構成によれば、吸引手段の吸引動作部を布帛４の搬送方向の下流側の位置に設けることにより、多くの蒸気が発生している部分の吸引力を高めることができる。これにより、布帛４の加熱時に発生する蒸気を効果的に吸引することができ、布帛４と加熱手段との間の雰囲気温度が高まることを抑制することができる。
【００７１】
また、本発明の一態様に係るテキスタイルプリント装置１においては、上記搬送ベルト６と上記布帛４とは互いに接した状態にあり、上記布帛４は、上記搬送ベルト６と同じ搬送速度で、上記搬送ベルト６と一体的に搬送されてもよい。
【００７２】
上記の構成によれば、搬送ベルト６と布帛４とが一体的に搬送されることで、布帛４が伸縮性の高い材料で構成されている場合でも、所望の伸縮状態（伸縮ゼロ状態も含む）で布帛４に印刷を行うことができる。特に、インク付与手段によりインクが布帛４に付与された場合の縮みを抑制することが可能である。
【００７３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【実施例】
【００７４】
上述した実施形態に係るテキスタイルプリント装置を用いて、ヒータランプの設定温度およびファンの吸引速度の関係について検証した。具体的には、５５℃〜９０℃の間の設定温度ごとに、吸引速度を０ｍ／秒〜１ｍ／秒の間で変化させたときに布帛が引火したか否かの検証を行った。
【００７５】
検証結果を表１に示す。なお、表１中の記号「○」は、加熱開始から５分以上経っても布帛に引火しなかった場合を指し、記号「△」は、加熱開始から１分間は布帛に引火しなかった場合を指し、記号「×」は、加熱開始から１分以内に布帛に引火した場合を指す。
【００７６】
【表１】
2016037682.tif 000003
【００７７】
表１に示す結果より、５５℃、６０℃、７０℃、および７５℃の設定温度については、０ｍ／秒以上の吸引速度（吸引動作を行わない状態を含む）で布帛に引火しなかったことが確認された。また、８０℃、８５℃、および９０℃の設定温度については、０．１ｍ／秒以上の吸引速度で布帛に引火しなかったことが確認された。
【００７８】
よって、すべての設定温度において、ファンの吸引速度を０．１ｍ／秒以上に設定することにより、布帛への引火を防ぐことができることが分かった。なお、より確実に布帛への引火を防ぐためには、ファンの吸引速度を０．２ｍ／以上に設定することが好ましいことが分かった。
【００７９】
なお、布帛の焦げが最初に生じるのは、布帛表面に設けられたインク受容層（例えば、糊や樹脂からなる）であることが多い。
【産業上の利用可能性】
【００８０】
本発明は、布帛に対して印刷を行う印刷装置に広く利用することができる。
【符号の説明】
【００８１】
１  テキスタイルプリント装置
２  印刷ユニット
３  加熱乾燥ユニット
４  布帛
５  繰り出し部
６  搬送ベルト
７  インクジェットヘッド（インク付与手段）
８  加熱部（加熱手段）
９  吸引部（吸引手段）
１１  ローラ（分離手段）
１２  ローラ
１３  ローラ
１４  ヒータランプ
１５  落下防止橋
１６  風路
１７  ファン（吸引動作部）
１８  駆動モータ
１９  排出路
２０  インバータ電源
２１  サーモスタット
２２  緊急停止スイッチ
２３  リレー制御部
２４  リレー
２５  ＳＳＲ
３０  制御ユニット
３１  加熱状態検知部（加熱状態検知手段）
３２  搬送状態検知部
３３  吸引速度測定部（吸引速度測定手段）
３４  吸引制御部（吸引制御手段）
３５  加熱制御部（加熱制御手段）
【図１】
2016037682.tif 000004
【図２】
2016037682.tif 000005
【図３】
2016037682.tif 000006
【図４】
2016037682.tif 000007
【図５】
2016037682.tif 000008